(57)【要約】【課題】使用者に違和感を与えることなく、低温下起動時の始動性を向上させる。【解決手段】燃料電池２の起動時に温度センサＴによって検出された温度が、暖機処理を実行することなく起動可能な温度よりも低い場合に、暖機処理を実行させる暖機処理実行部と、暖機処理実行部によって暖機処理が実行されている最中に、燃料電池２で発電を継続することが可能な発電継続可能状態に移行したときに、燃料電池２からの出力を許可する出力許可部と、出力許可部によって燃料電池２からの出力が許可された場合に、燃料電池２からの出力が許可された状態であることを示すための出力許可状態表示を、燃料電池２の発電可能電力に応じて段階的に変化させながら表示装置８に表示させる表示制御部と、を備える。【選択図】図１
2010192380.tif 000002
【特許請求の範囲】
【請求項１】
反応ガスの供給を受けて当該反応ガスの電気化学反応により電力を発生する燃料電池と、
前記燃料電池の温度を検出する温度センサと、
前記燃料電池の起動時に前記温度センサによって検出された温度が、暖機処理を実行することなく起動可能な温度よりも低い場合に、暖機処理を実行させる暖機処理実行部と、
前記暖機処理実行部によって暖機処理が実行されている最中に、前記燃料電池で発電を継続することが可能な発電継続可能状態に移行したときに、前記燃料電池からの出力を許可する出力許可部と、
前記出力許可部によって前記燃料電池からの出力が許可された場合に、前記燃料電池からの出力が許可された状態であることを示すための出力許可状態表示を、前記燃料電池の発電可能電力に応じて表示部に表示させる表示制御部と、
を備えることを特徴とする燃料電池システム。
【請求項２】
前記暖機処理実行部は、前記燃料電池の発電可能電力が、当該発電可能電力として取り得る値の最大値に到達したときに暖機処理を終了することを特徴とする請求項１記載の燃料電池システム。
【請求項３】
前記発電継続可能状態は、前記燃料電池の発電時に生成される生成水が凍結しない状態であることを特徴とする請求項１または２記載の燃料電池システム。
【請求項４】
前記表示制御部は、前記出力可能状態表示を、前記燃料電池の発電可能電力に応じて段階的に変化させながら表示部に表示させることを特徴とする請求項１〜３のいずれか１項に記載の燃料電池システム。
【請求項５】
前記表示制御部は、現時点における前記燃料電池の出力電力および発電可能電力に基づいて、前記燃料電池の出力状態および出力可能状態を表示部に表示させることを特徴とする請求項１〜４のいずれか１項に記載の燃料電池システム。
【請求項６】
前記表示制御部は、前記温度センサによって検出された温度に基づいて、前記燃料電池の発電可能電力を算出することを特徴とする請求項１〜５のいずれか１項に記載の燃料電池システム。
【請求項７】
前記燃料電池の温度と前記燃料電池の発電可能電力とを対応付けて記憶する記憶部をさらに備え、
前記表示制御部は、前記温度センサによって検出された温度に対応付けて前記記憶部に記憶されている前記燃料電池の発電可能電力を読み出すことで、前記燃料電池の発電可能電力を算出することを特徴とする請求項６記載の燃料電池システム。
【発明の詳細な説明】
【技術分野】
【０００１】
本発明は、燃料電池システムに関する。
【背景技術】
【０００２】
燃料電池システムは、他の電源システムに比べて起動性が低く、特に低温下での起動性の低さに問題がある。具体的には、燃料電池システムを低温下で起動させると、燃料電池が十分に温まるまでは、燃料電池からの出力が不足して、燃料電池に対する出力要求通りに負荷を駆動させることができない場合があり、この様な場合には、使用者に違和感を与えてしまうことになる。したがって、従来の燃料電池システムでは、低温下起動時に暖機処理を実行し、燃料電池が十分に温まった後に燃料電池システムを始動できるように制御している（例えば、下記特許文献１参照）。
【先行技術文献】
【特許文献】
【０００３】
【特許文献１】特開２００７−３０５３４６号公報
【発明の概要】
【発明が解決しようとする課題】
【０００４】
ところが、一般に、燃料電池システムで行われる暖機処理には数分以上の時間を要することがある。したがって、上述した従来の燃料電池システムでは、低温下起動時に暖機処理が終了するまで使用者が数分以上待機しなければならない事態も生じ得る。
【０００５】
本発明は、上述した従来技術による問題点を解消するためになされたものであり、使用者に違和感を与えることなく、低温下起動時の始動性を向上させることができる燃料電池システムを提供することを目的とする。
【課題を解決するための手段】
【０００６】
上述した課題を解決するため、本発明に係る燃料電池システムは、反応ガスの供給を受けて当該反応ガスの電気化学反応により電力を発生する燃料電池と、前記燃料電池の温度を検出する温度センサと、前記燃料電池の起動時に前記温度センサによって検出された温度が、暖機処理を実行することなく起動可能な温度よりも低い場合に、暖機処理を実行させる暖機処理実行部と、前記暖機処理実行部によって暖機処理が実行されている最中に、前記燃料電池で発電を継続することが可能な発電継続可能状態に移行したときに、前記燃料電池からの出力を許可する出力許可部と、前記出力許可部によって前記燃料電池からの出力が許可された場合に、前記燃料電池からの出力が許可された状態であることを示すための出力許可状態表示を、前記燃料電池の発電可能電力に応じて表示部に表示させる表示制御部と、を備えることを特徴とする。
【０００７】
この発明によれば、暖機処理が実行されている最中であっても、燃料電池で発電を継続することが可能な発電継続可能状態に移行したときには、燃料電池からの出力を許可することができるため、暖機処理が終了するまで待機することなく、燃料電池からの出力が可能となる。また、燃料電池の発電可能電力に応じて出力が許可された状態であることを示す出力許可状態表示を表示部に表示させることができるため、使用者の違和感を低減させることが可能となる。
【０００８】
上記燃料電池システムにおいて、上記暖機処理実行部は、前記燃料電池の発電可能電力が、当該発電可能電力として取り得る値の最大値に到達したときに暖機処理を終了することとしてもよい。
【０００９】
これにより、燃料電池の暖機を短時間で行うことができるため、発電効率が良好な状態に短時間で移行させることが可能となる。
【００１０】
上記燃料電池システムにおいて、上記発電継続可能状態は、前記燃料電池の発電時に生成される生成水が凍結しない状態であることとしてもよい。
【００１１】
これにより、生成水の凍結により燃料電池の発電が不能となる事態を回避することが可能となる。
【００１２】
上記燃料電池システムにおいて、上記表示制御部は、前記出力可能状態表示を、前記燃料電池の発電可能電力に応じて段階的に変化させながら表示部に表示させることとしてもよい。
【００１３】
これにより、使用者の違和感をさらに低減させることが可能となる。
【００１４】
上記燃料電池システムにおいて、上記表示制御部は、現時点における前記燃料電池の出力電力および発電可能電力に基づいて、前記燃料電池の出力状態および出力可能状態を表示部に表示させることとしてもよい。
【００１５】
これにより、現時点の出力状態にどの程度の余裕があるのかを使用者に認識させることが可能となる。
【００１６】
上記燃料電池システムにおいて、上記表示制御部は、前記温度センサによって検出された温度に基づいて、前記燃料電池の発電可能電力を算出することとしてもよい。具体的には、上記燃料電池システムにおいて、上記燃料電池の温度と前記燃料電池の発電可能電力とを対応付けて記憶する記憶部をさらに備え、前記表示制御部は、前記温度センサによって検出された温度に対応付けて前記記憶部に記憶されている前記燃料電池の発電可能電力を読み出すことで、前記燃料電池の発電可能電力を算出することとしてもよい。
【発明の効果】
【００１７】
本発明によれば、使用者に違和感を与えることなく、低温下起動時の始動性を向上させることができる。
【図面の簡単な説明】
【００１８】
【図１】実施形態における燃料電池システムを模式的に示す構成図である。
【図２】燃料電池システムの制御部の機能構成を示す図である。
【図３】燃料電池の出力パワー状態および出力可能パワー状態の表示を例示する図である。
【図４】燃料電池の出力パワー状態および出力可能パワー状態の表示を例示する図である。
【図５】実施形態における起動時制御処理の流れを説明するためのフローチャートである。
【発明を実施するための形態】
【００１９】
以下、添付図面を参照して、本発明に係る燃料電池システムの好適な実施形態について説明する。本実施形態では、本発明に係る燃料電池システムを、燃料電池車両（ＦＣＨＶ；Fuel Cell Hybrid Vehicle）の車載発電システムとして用いた場合について説明する。
【００２０】
まず、図１を参照して、実施形態における燃料電池システムの構成について説明する。図１は、実施形態における燃料電池システムを模式的に示した構成図である。
【００２１】
同図に示すように、燃料電池システム１は、反応ガスである酸化ガスおよび燃料ガスの供給を受けて電気化学反応により電力を発生する燃料電池２と、酸化ガスとしての空気を燃料電池２に供給する酸化ガス配管系３と、燃料ガスとしての水素を燃料電池２に供給する燃料ガス配管系４と、燃料電池２に冷却水を循環供給する冷却系５と、システムの電力を充放電する電力系６と、システム全体を統括制御する制御部７とを有する。
【００２２】
燃料電池２は、例えば、高分子電解質型燃料電池であり、多数の単セルを積層したスタック構造となっている。単セルは、イオン交換膜からなる電解質の一方の面にカソード極（空気極）を有し、他方の面にアノード極（燃料極）を有し、さらにカソード極およびアノード極を両側から挟み込むように一対のセパレータを有する構造となっている。この場合、一方のセパレータの燃料ガス流路に燃料ガスが供給され、他方のセパレータの酸化ガス流路に酸化ガスが供給され、これらの反応ガスが化学反応することで電力が発生する。燃料電池２には、燃料電池２の出力電圧を検出する電圧センサＶと、燃料電池２の出力電流を検出する電流センサＡとが設けられている。
【００２３】
酸化ガス配管系３は、フィルタを介して取り込まれる空気を圧縮し、圧縮した空気を酸化ガスとして送出するコンプレッサ３１と、酸化ガスを燃料電池２に供給するための酸化ガス供給流路３２と、燃料電池２から排出された酸化オフガスを排出するための酸化オフガス排出流路３３とを有する。酸化オフガス排出流路３３には、燃料電池２内の酸化ガスの圧力を調整するための背圧弁３４が設けられている。
【００２４】
燃料ガス配管系４は、高圧の燃料ガスを貯留した燃料供給源としての燃料タンク４０と、燃料タンク４０の燃料ガスを燃料電池２に供給するための燃料ガス供給流路４１と、燃料電池２から排出された燃料オフガスを燃料ガス供給流路４１に戻すための燃料循環流路４２とを有する。燃料ガス供給流路４１には、燃料ガスの圧力を予め設定した二次圧に調圧する調圧弁４３が設けられている。燃料循環流路４２には、燃料循環流路４２内の燃料オフガスを加圧して燃料ガス供給流路４１側へ送り出す燃料ポンプ４４が設けられている。
【００２５】
冷却系５は、冷却水を冷却するラジエータ５１およびラジエータファン５２と、冷却水を燃料電池２およびラジエータ５１に循環供給する冷却水循環流路５３と、冷却水を冷却水循環流路５３に循環させる冷却水ポンプ５４とを有する。冷却水循環流路５３のうち、燃料電池２の出口側には、冷却水の温度を測定する温度センサＴが設けられている。本実施形態では、温度センサＴによって測定される温度を、燃料電池２の温度として採用する。
【００２６】
電力系６は、ＤＣ／ＤＣコンバータ６１と、二次電池であるバッテリ６２と、トラクションインバータ６３と、トラクションモータ６４と、図示しない各種の補機インバータとを有する。ＤＣ／ＤＣコンバータ６１は、直流の電圧変換器であり、バッテリ６２から入力された直流電圧を調整してトラクションインバータ６３側に出力する機能と、燃料電池２またはトラクションモータ６４から入力された直流電圧を調整してバッテリ６２に出力する機能と、を有する。
【００２７】
バッテリ６２は、バッテリセルが積層されて一定の高電圧を端子電圧とし、図示しないバッテリコンピュータの制御によって余剰電力を充電したり補助的に電力を供給したりすることが可能になっている。トラクションインバータ６３は、直流電流を三相交流に変換し、トラクションモータ６４に供給する。トラクションモータ６４は、例えば三相交流モータであり、燃料電池システム１が搭載される燃料電池車両の主動力源を構成する。補機インバータは、各モータの駆動を制御する電動機制御部であり、直流電流を三相交流に変換して各モータに供給する。
【００２８】
制御部７は、燃料電池車両に設けられた加速操作部材（例えば、アクセル）の操作量を検出し、加速要求値（例えばトラクションモータ６４等の電力消費装置からの要求発電量）等の制御情報を受けて、システム内の各種機器の動作を制御する。なお、電力消費装置には、トラクションモータ６４の他に、例えば、燃料電池２を作動させるために必要な補機装置（例えばコンプレッサ３１、燃料ポンプ４４、冷却水ポンプ５４およびラジエータファン５２のモータ等）、車両の走行に関与する各種装置（変速機、車輪制御装置、操舵装置および懸架装置等）で使用されるアクチュエータ、乗員空間の空調装置（エアコン）、照明およびオーディオ等が含まれる。
【００２９】
制御部７は、物理的には、例えば、ＣＰＵと、メモリと、入出力インターフェースとを有する。メモリには、例えば、ＣＰＵで処理される制御プログラムや制御データを記憶するＲＯＭと、主として制御処理のための各種作業領域として使用されるＲＡＭとが含まれる。これらの要素は、互いにバスを介して接続されている。入出力インターフェースには、温度センサＴ等の各種センサが接続されているとともに、コンプレッサ３１等を駆動させるための各種ドライバが接続されている。
【００３０】
ＣＰＵは、ＲＯＭに記憶された制御プログラムに従って、入出力インターフェースを介して各種センサでの検出結果を受信し、ＲＡＭ内の各種データ等を用いて処理することで、後述する起動時制御処理等を実行する。また、ＣＰＵは、入出力インターフェースを介して各種ドライバに制御信号を出力することにより、燃料電池システム１全体を制御する。
【００３１】
図２に示すように、制御部７は、機能的には、暖機処理実行部７１と、出力許可部７２と、表示制御部７３とを有する。制御部７のメモリには、表示制御部７３によって参照される発電可能電力マップ７９が格納されている。発電可能電力マップ７９には、燃料電池２の温度と、燃料電池２の発電可能電力とが対応付けられて記憶されている。発電可能電力マップ７９に格納される燃料電池２の温度と発電可能電力は、燃料電池２の温度が高くなるに従って発電可能電力が増大する関係にあり、燃料電池２の温度上昇に伴って上昇する発電可能電力が、発電可能電力として取り得る値の最大値に到達した後は、燃料電池２の温度が上昇しても発電可能電力は最大値のまま推移する関係にある。発電可能電力マップ７９に格納される各値は実験等により求められる。
【００３２】
暖機処理実行部７１は、燃料電池２の起動時に温度センサＴによって検出された温度が、通常起動する際の下限温度となる通常起動許可温度以上であるか否かを判定する。この通常起動許可温度としては、例えば、暖機処理を実行することなく起動可能な燃料電池温度の下限値が該当する。なお、本実施形態では、温度センサＴによって検出される冷却水の温度を、燃料電池２の温度として採用するが、これに限定されず、燃料電池２の温度を直接検出することとしてもよい。
【００３３】
暖機処理実行部７１は、温度センサＴによって検出された温度が通常起動許可温度未満であると判定した場合には、暖機処理を実行する。暖機処理としては、例えば、通常運転に比して反応ガスを不足気味にして電力損失を大きくする低効率運転、すなわち燃料電池２の発電効率を低下させて発熱量を増大させる低効率運転や、燃料電池２の出力電流を増大させて発電に伴う発熱量を増大させる運転、冷却水循環流路５３にヒータを設け、このヒータで冷却水を温める処理等が該当する。暖機処理実行部７１は、燃料電池２の発電可能電力が、後述する第３閾値に到達したときに暖機処理を終了する。
【００３４】
出力許可部７２は、暖機処理実行部７１によって暖機処理が実行されている最中に、燃料電池２で発電を継続することが可能な発電継続可能状態に移行したか否かを判定し、発電継続可能状態に移行した場合に、燃料電池２からの出力を許可する。これにより、運転者がアクセルを踏み込むことで燃料電池車両が走行可能な状態となる。
【００３５】
発電継続可能状態としては、例えば、燃料電池２の発電時に生成される生成水が凍結しない状態が該当する。これにより、生成水の凍結により燃料電池の発電が不能となる事態を回避することが可能となる。生成水が凍結しない状態としては、例えば、燃料電池２の温度が０℃以上である状態が該当するが、これに限定されない。例えば、燃料電池２の温度が０℃以下であっても燃料電池２の温度の上昇率等から推測して生成水が凍結するおそれがないと判定できる状態等が該当する。
【００３６】
表示制御部７３は、温度センサＴによって検出された温度に基づいて、燃料電池２の発電可能電力を算出する。燃料電池２の発電可能電力は、例えば以下のようにして算出することができる。表示制御部７３は、温度センサＴによって検出された温度を用いて発電可能電力マップ７９を参照し、温度センサＴによって検出された温度に対応付けて記憶されている発電可能電力を、発電可能電力マップ７９から読み出すことで、燃料電池２の発電可能電力を算出する。
【００３７】
表示制御部７３は、出力許可部７２によって燃料電池２からの出力が許可された場合に、燃料電池２からの出力が許可された状態であることを示すための出力許可状態表示を、燃料電池２の発電可能電力に応じて段階的に変化させながら表示装置８（表示部）に表示させる。これにより、運転者の違和感を低減させることが可能となる。
【００３８】
出力許可状態表示としては、例えば、運転席のメータパネル内に設けられた「Ready ON」表示が該当する。また、この出力許可状態表示を、燃料電池２の発電可能電力に応じて段階的に変化させる方法としては、例えば以下の方法がある。
【００３９】
一つめの方法は、燃料電池２の発電可能電力に応じて「Ready ON」表示の点灯状態を変化させて表示させる方法である。具体的には、例えば、発電可能電力が小さい場合には、「Ready ON」表示を低速で点滅（以下、「第１パターン表示」という。）させ、発電可能電力が中程度の場合には、「Ready ON」表示を高速で点滅（以下、「第２パターン表示」という。）させ、発電可能電力が大きい場合には、「Ready ON」表示を点灯（以下、「第３パターン表示」という。）させる。なお、点灯状態の変化は、３パターンであることには限定されず、任意に設定することができる。
【００４０】
発電可能電力の大小は、発電可能電力が、発電可能電力の最大値からどの程度不足しているかの度合いに応じて設定することができる。例えば、発電可能電力の取り得る範囲のうち、所定の設定下限値から最大値までの範囲を三つの連続する範囲に分割し、設定下限値を含む範囲を発電可能電力が小さい場合の範囲とし、最大値を含む範囲を発電可能電力が大きい場合の範囲とし、残りの範囲を発電可能電力が中程度の場合の範囲とすることができる。設定下限値としては、例えば、燃料電池車両の走行を継続可能な発電可能電力の下限値が該当する。
【００４１】
表示制御部７３は、発電可能電力に基づいて、以下のように「Ready ON」表示の点灯状態を変化させることができる。表示制御部７３は、発電可能電力が第１閾値未満である場合には、「Ready ON」表示を不点灯のままとする。第１閾値としては、例えば、上記設定下限値を採用することができる。
【００４２】
表示制御部７３は、発電可能電力が第１閾値以上、かつ第２閾値未満である場合には、「Ready ON」の第１パターン表示を選択し、「Ready ON」を低速で点滅させる。第２閾値としては、例えば、上記発電可能電力が中程度の場合の範囲の下限値を採用することができる。
【００４３】
表示制御部７３は、発電可能電力が第２閾値以上、かつ第３閾値未満である場合には、「Ready ON」の第２パターン表示を選択し、「Ready ON」を高速で点滅させる。第３閾値としては、例えば、上記発電可能電力が大きい場合の範囲の下限値を採用することができる。
【００４４】
表示制御部７３は、発電可能電力が第３閾値以上である場合には、「Ready ON」の第３パターン表示を選択し、「Ready ON」を点灯させる。
【００４５】
二つめの方法は、燃料電池２の発電可能電力に応じて「Ready ON」表示の点灯色を変化させて表示させる方法である。具体的には、例えば、発電可能電力が小さい場合には、「Ready ON」表示を赤色で点灯させ、発電可能電力が中程度の場合には、「Ready ON」表示を黄色で点灯させ、発電可能電力が大きい場合には、「Ready ON」表示を緑色で点灯させる。発電可能電力の大小や、点灯色を変化させる手法は、上記一つめの方法で説明したものと同様であるため、その説明を省略する。なお、点灯色の変化は、３パターンであることには限定されず、任意に設定することができる。また、「Ready ON」の点灯色は、上記に各色には限定されず、他の色であっても良い。
【００４６】
表示制御部７３は、現時点における燃料電池２の出力電力および発電可能電力に基づいて、燃料電池２の出力パワー状態および出力可能パワー状態を表示装置８に表示させる。これにより、現時点の出力パワー状態にどの程度の余裕があるのかを運転者に認識させることが可能となる。
【００４７】
具体的には、例えば、図３および図４に示すように、運転席のメータパネル内に設けられた表示領域に、燃料電池２の出力パワー状態ＰＷ１と、出力可能パワー状態ＰＷ２とを表示させることができる。出力パワー状態ＰＷ１は、現時点における燃料電池２の出力電力に応じた燃料電池２の実際の出力パワーをグラフ表示したものである。出力可能パワー状態ＰＷ２は、現時点における燃料電池２の出力可能電力に応じた燃料電池２の出力可能パワーをグラフ表示したものである。暖機処理が終了した後の出力可能パワーＰＷ２は、出力可能状態の最大値に相当するＭＡＸ値を指し示すこととなる。
【００４８】
次に、図５に示すフローチャートを参照して、実施形態における燃料電池システムで実行される起動時制御処理の流れについて説明する。
【００４９】
最初に、制御部７は、イグニッションキーがＯＮされたことを検出する（ステップＳ１０１）と、温度センサＴで検出されている温度を、燃料電池２の温度として取得する（ステップＳ１０２）。
【００５０】
続いて、制御部７の暖機処理実行部７１は、燃料電池２の温度が通常起動許可温度以上であるか否かを判定する（ステップＳ１０３）。この判定がＹＥＳである場合（ステップＳ１０３；ＹＥＳ）に、制御部７は、処理を後述するステップＳ１１２に移行させる。
【００５１】
一方、上記ステップＳ１０３の判定で、燃料電池２の温度が通常起動許可温度未満であると判定された場合（ステップＳ１０３；ＮＯ）に、暖機処理実行部７１は、暖機処理を開始させる（ステップＳ１０４）。
【００５２】
続いて、制御部７の表示制御部７３は、温度センサＴによって検出された温度に基づいて、燃料電池２の発電可能電力を算出する（ステップＳ１０５）。
【００５３】
続いて、表示制御部７３は、上記ステップＳ１０５で算出した発電可能電力が第１閾値未満であるか否かを判定する（ステップＳ１０６）。この判定がＹＥＳである場合（ステップＳ１０６；ＹＥＳ）に、制御部７は、処理を上述したステップＳ１０５に移行させる。
【００５４】
一方、上記ステップＳ１０６の判定で、発電可能電力が第１閾値以上であると判定された場合（ステップＳ１０６；ＮＯ）に、表示制御部７３は、発電可能電力が第２閾値未満であるか否かを判定する（ステップＳ１０７）。この判定がＹＥＳである場合（ステップＳ１０７；ＹＥＳ）に、制御部７の出力許可部７２は燃料電池２からの出力を許可し、表示制御部７３は出力許可状態表示として「Ready ON」の第１パターン表示を表示装置８に表示させる（ステップＳ１０８）。そして、制御部７は、処理を上述したステップＳ１０５に移行させる。
【００５５】
一方、上記ステップＳ１０７の判定で、発電可能電力が第２閾値以上であると判定された場合（ステップＳ１０７；ＮＯ）に、表示制御部７３は、発電可能電力が第３閾値未満であるか否かを判定する（ステップＳ１０９）。この判定がＹＥＳである場合（ステップＳ１０９；ＹＥＳ）に、出力許可部７２は、燃料電池２からの出力がまだ許可されていないときには出力を許可し、表示制御部７３は、出力許可状態表示として「Ready ON」の第２パターン表示を表示装置８に表示させる（ステップＳ１１０）。そして、制御部７は、処理を上述したステップＳ１０５に移行させる。
【００５６】
一方、上記ステップＳ１０９の判定で、発電可能電力が第３閾値以上であると判定された場合（ステップＳ１０９；ＮＯ）に、暖機処理実行部７１は、暖機処理を終了させる（ステップＳ１１１）。
【００５７】
続いて、出力許可部７２は、燃料電池２からの出力がまだ許可されていないときには出力を許可し、表示制御部７３は、出力許可状態表示として「Ready ON」の第３パターン表示を表示装置８に表示させる（ステップＳ１１２）。これにより、起動時処理は終了する。
【００５８】
上述してきたように、本実施形態における燃料電池システム１によれば、暖機処理が実行されている最中であっても、燃料電池２で発電を継続することが可能な発電継続可能状態に移行したときには、燃料電池２からの出力を許可することができるため、暖機処理が終了するまで待機することなく、燃料電池車両の走行を開始させることが可能となる。
【００５９】
また、燃料電池２の発電可能電力に応じて出力が許可された状態であることを示す出力許可状態表示を表示装置８に表示させることができるため、運転者の違和感を低減させることが可能となる。
【００６０】
それゆえに、本実施形態における燃料電池システム１によれば、運転者に違和感を与えることなく、低温下起動時の始動性を向上させることが可能となる。
【００６１】
なお、上述した実施形態における暖機処理実行部７１は、発電可能電力が第３閾値以上に到達したときに、暖機処理を終了させているが、暖機処理を終了させるタイミングは、これに限定されない。例えば、発電可能電力が最大値に到達したときに、暖機処理を終了させることとしてもよい。これにより、燃料電池２の暖機を短時間で行うことができるため、発電効率が良好な状態に短時間で移行させることが可能となる。一方、暖機処理中に走行が可能となり、燃料電池車両が走行を開始した場合には、燃料電池２の発電により発生する熱で燃料電池２自体が温められる。したがって、発電可能電力が第３閾値未満であっても、燃料電池車両が走行を開始した場合には、暖機処理を終了させることとしてもよい。
【００６２】
また、上述した実施形態では、燃料電池２の温度が通常起動許可温度以上である場合には、暖機処理を実行することなく、燃料電池２の出力を許可させて、「Ready ON」を点灯表示させているが、これに限定されない。例えば、燃料電池２の温度が通常起動許可温度以上である場合であっても、発電可能電力が第３閾値未満である場合には、暖機処理を開始させるとともに、出力許可状態表示を燃料電池２の発電可能電力に応じて段階的に変化させながら表示装置８に表示させることとしてもよい。
【００６３】
また、上述した実施形態では、発電可能電力マップ７９を参照して発電可能電力を算出しているが、発電可能電力を算出する方法は、これに限定されない。例えば、燃料電池のＩＶ特性（出力電流・出力電圧特性）マップを参照して、発電可能電力を算出することとしてもよい。この場合のＩＶ特性マップに格納される各値は、予め実験等によって燃料電池２の温度ごとに求められる。具体的には、表示制御部７３は、温度センサＴによって検出された温度を用いてＩＶ特性マップを参照し、温度センサＴによって検出された温度に対応付けて記憶されている電流と電圧とを用いて燃料電池２の発電可能電力を算出する。
【００６４】
また、上述した実施形態においては、本発明に係る燃料電池システムを燃料電池車両に搭載した場合について説明しているが、燃料電池車両以外の各種移動体（ロボット、船舶、航空機等）にも本発明に係る燃料電池システムを適用することができる。また、本発明に係る燃料電池システムを、建物（住宅、ビル等）用の発電設備として用いられる定置用発電システムに適用することもできる。
【符号の説明】
【００６５】
１…燃料電池システム、２…燃料電池、３…酸化ガス配管系、４…燃料ガス配管系、５…冷却系、６…電力系、７…制御部、８…表示装置、５３…冷却水循環流路、７１…暖機処理実行部、７２…出力許可部、７３…表示制御部、７９…発電可能電力マップ、Ｔ…温度センサ。
【図１】
2010192380.tif 000003
【図２】
2010192380.tif 000004
【図３】
2010192380.tif 000005
【図４】
2010192380.tif 000006
【図５】
2010192380.tif 000007